(57)【要約】【課題】  手軽に携帯でき、犬の排泄物を容易に収納できて持運べ、容器内の排泄物を手や容器等を汚すことなく誰でも容易に処理（廃棄）でき、排泄物と中敷紙をゴミ袋等に簡単に入れることができ、取扱い容易で、構成簡素で、耐久性に優れ、量産に適し、経済的な犬用携帯排泄物収納容器を提供する。【解決手段】  容器基体Ａと容器蓋体Ｂと容器底体Ｃと中敷紙１０とを備え、容器基体Ａの一端部分に配する係止機構は、容器基体Ａの上部開口部分の閉塞状態と、下部開口部分の閉鎖状態とを、夫々解除、維持できるよう形成し、容器蓋体Ｂを揺動させ、容器基体Ａの上部開口部分が開口状態となることで、犬の排泄物が中敷紙１０の上に載置可能となり、容器底体Ｃを揺動させ、容器基体Ａの下部開口部分が開口状態となることで、犬の排泄物を中敷紙１０と共に落下状に廃棄できるよう構成する。【選択図】図３
0003107995.tif 000002
【実用新案登録請求の範囲】
【請求項１】
上下が開口された略枠状に形成される容器基体と、この容器基体の他端部分に設けた枢支部を介して上下方向に揺動自在となるよう装着されると共に、容器基体の上部開口部分を開閉自在となるよう形成される容器蓋体と、容器基体の他端部分に設けた枢支部を介して上下方向に揺動自在となるよう装着されると共に、容器基体の下部開口部分を開閉自在となるよう形成される容器底体と、この容器底体の上にセットされる中敷紙とを備え、前記容器蓋体は、その上部に取手が形成され、容器基体の一端部分には適宜係止機構を配し、この係止機構は、容器蓋体による容器基体の上部開口部分の閉塞状態と、容器底体による容器基体の下部開口部分の閉鎖状態とを、夫々解除及び維持できるように形成され、容器蓋体を揺動せしめて容器基体の上部開口部分が開口状態となることで、犬の排泄物を中敷紙の上に載置可能となり、容器底体を揺動せしめて容器基体の下部開口部分が開口状態となることで、犬の排泄物を中敷紙と共に落下状に廃棄できるよう構成したことを特徴とする犬用携帯排泄物収納容器。
【請求項２】
係止機構は、容器基体の一端部分に形成される取付基枠と、この取付基枠の左右側部の上下に設けた長孔と、左右長孔を貫通するように配される二つのピンと、ピンの両端部に固定されて上下方向に揺動自在となると共に、上下方向に僅かに摺動自在となる二つの係止枠片と、二つの係止枠片に引戻し弾発力を付勢するスプリングと、容器蓋体と容器底体の一端部分に夫々突設される係止突起とからなり、係止枠片の揺動操作によって、係止枠片がスプリングの弾発力に抗して係止突起に係脱自在に係止するように構成したことを特徴とする請求項１記載の犬用携帯排泄物収納容器。
【請求項３】
中敷紙を水溶性材料で構成したことを特徴とする請求項１または請求項２記載の犬用携帯排泄物収納容器。
【考案の詳細な説明】
【技術分野】
【０００１】
本考案は、主に、犬の散歩中に手軽に携帯できて、犬の排泄物（糞）を容易に収納できると共に持運べ、収納された排泄物を容易に処理（廃棄）できるように工夫した犬用携帯排泄物収納容器に関するものである。
【背景技術】
【０００２】
従来、この種の犬用携帯排泄物収納容器としては、例えば、特許文献１に示すような犬用携帯トイレが開示されている。
これは、内部が中空状で上端を開口したケース本体と、このケース本体の上端開口を開閉可能な蓋体と、前記ケース本体の対面し合う部分の上端部近傍に回動可能に取付けられた手提げ部とを有し、前記蓋体の上面に蓋体握り部を手提げ握り部と平行に設けるとともに、該蓋体の両端に設けたガイド孔に手提げ両端部を上下摺動可能に挿通させて、蓋体が手提げ部と共に回動するよう構成したものである。
【０００３】
【特許文献１】特開２００３−２３８９９
【考案の開示】
【考案が解決しようとする課題】
【０００４】
ところが、前述の如き犬用携帯トイレにあっては、ケース本体にビニール袋を所定の状態に装着しなければならず、このビニール袋の装着や取外しが面倒となる難点があった。しかも、ビニール袋に収納された犬糞自体の廃棄処理やビニール袋自身の分別処理も面倒となる難点もあった。
【課題を解決するための手段】
【０００５】
そこで、本考案は、前述の如き課題を達成できるようにするのは勿論のこと、取扱い易く、構成が簡素で、耐久性に優れ、量産し易く、経済的な犬用携帯排泄物収納容器を提供すべく案出されたものである。
【０００６】
しかして、請求項１記載の犬用携帯排泄物収納容器にあっては、上下が開口された略枠状に形成される容器基体Ａと、この容器基体Ａの他端部分に設けた枢支部を介して上下方向に揺動自在となるよう装着されると共に、容器基体Ａの上部開口部分を開閉自在となるよう形成される容器蓋体Ｂと、容器基体Ａの他端部分に設けた枢支部を介して上下方向に揺動自在となるよう装着されると共に、容器基体Ａの下部開口部分を開閉自在となるよう形成される容器底体Ｃと、この容器底体Ｃの上にセットされる中敷紙１０とを備え、前記容器蓋体Ｂは、その上部に取手１が形成され、容器基体Ａの一端部分には適宜係止機構を配し、この係止機構は、容器蓋体Ｂによる容器基体Ａの上部開口部分の閉塞状態と、容器底体Ｃによる容器基体Ａの下部開口部分の閉鎖状態とを、夫々解除及び維持できるように形成され、容器蓋体Ｂを揺動せしめて容器基体Ａの上部開口部分が開口状態となることで、犬の排泄物を中敷紙１０の上に載置可能となり、容器底体Ｃを揺動せしめて容器基体Ａの下部開口部分が開口状態となることで、犬の排泄物を中敷紙１０と共に落下状に廃棄できるよう構成する手段を採用した。
【０００７】
また、請求項２記載の犬用携帯排泄物収納容器にあっては、係止機構は、容器基体Ａの一端部分に形成される取付基枠２と、この取付基枠２の左右側部の上下に設けた長孔３と、左右長孔３を貫通するように配される二つのピン６と、ピン６の両端部に固定されて上下方向に揺動自在となると共に、上下方向に僅かに摺動自在となる二つの係止枠片５と、二つの係止枠片５に引戻し弾発力を付勢するスプリング４と、容器蓋体Ｂと容器底体Ｃの一端部分に夫々突設される係止突起７とからなり、係止枠片５の揺動操作によって、係止枠片５がスプリング４の弾発力に抗して係止突起７に係脱自在に係止するように構成する手段を採用した。
【０００８】
更に、請求項３記載の犬用携帯排泄物収納容器にあっては、中敷紙１０を水溶性材料で構成する手段を採用した。
【考案の効果】
【０００９】
従って、本考案の請求項１によれば、犬の散歩中に手軽に携帯できて、犬の排泄物（糞）を容易に収納できると共に持運ぶことができるようになる。しかも、構成が簡素で、耐久性に優れ、量産に適し、経済的な犬用携帯排泄物収納容器となる。
【００１０】
特に、容器底体Ｃを揺動せしめて容器基体Ａの下部開口部分が開口状態となることで、犬の排泄物を中敷紙１０と共に落下状に廃棄できるよう構成したので、容器内に収納された排泄物を、手や容器等を汚すことなく誰でも容易に処理（廃棄）できるようになる。すなわち、犬の排泄物と中敷紙１０をゴミ袋等に簡単に入れられるようになり、その取扱いが容易となる。
【００１１】
また、本考案の請求項２によれば、夫々の係止枠片５の揺動操作だけで、容器蓋体Ｂによる上部開口部分の閉塞状態と、容器底体Ｃによる下部開口部分の閉鎖状態とを、夫々簡単に解除できるようになると共に、容器蓋体Ｂによる上部開口部分の閉塞状態と、容器底体Ｃによる下部開口部分の閉鎖状態とを、夫々確実に維持できるようになる。しかも、係止機構は、その構成が簡素で、耐久性に優れ、誰でも容易に取扱えるものとなり、この種の犬用携帯排泄物収納容器に最適なものとなる。
【００１２】
更に、本考案の請求項３によれば、犬の排泄物と中敷紙１０を水洗トイレ等に流せるようになり、その取扱いが一層容易となる。
【考案を実施するための最良の形態】
【００１３】
以下、本考案を図示例に基づいて説明すると、次の通りである。
本考案は、主に、犬の散歩中に携帯し、犬の排泄物（糞）を収納したまま持運べ、この排泄物を容易に処理（廃棄）できるようにした犬用携帯排泄物収納容器である。
具体的には、上下が開口された平面略楕円枠状に形成される容器基体Ａと、この容器基体Ａの他端部分に設けた枢支部を介して上下方向に揺動自在となるよう装着されると共に、容器基体Ａの上部開口部分に合致してこれを開閉自在となるように形成される容器蓋体Ｂと、容器基体Ａの他端部分に設けた枢支部を介して上下方向に揺動自在となるよう装着されると共に、容器基体Ａの下部開口部分に合致してこれを開閉自在となるように形成される容器底体Ｃと、この容器底体Ｃの上にセットされる中敷紙１０とで構成されている。
【００１４】
そして、容器蓋体Ｂの上部には、取手１が設けられており、携帯し易いように形成されている。
【００１５】
また、容器基体Ａの一端部分には適宜係止機構が配されており、この係止機構は、容器蓋体Ｂによる容器基体Ａの上部開口部分の閉塞状態と、容器底体Ｃによる容器基体Ａの下部開口部分の閉鎖状態とを、夫々解除及び維持できるように形成されている。
【００１６】
それから、容器蓋体Ｂを揺動せしめて容器基体Ａの上部開口部分が開口状態となることで、犬の排泄物を中敷紙１０の上に載置可能となるように構成されており、しかも、容器底体Ｃを揺動せしめて容器基体Ａの下部開口部分が開口状態となることで、犬の排泄物を中敷紙１０と共に落下状に廃棄できるよう構成したものである。
【実施例】
【００１７】
前記容器基体Ａは、例えば、適宜合成樹脂材によって、平面略楕円状を呈する略リング（枠）状に形成されており、携帯したときに邪魔にならないような寸法で、且つ犬の排泄物が余裕をもって収納できるような寸法に形成されている。尚、容器基体Ａの下部周壁部分の外表面には、容器底体Ｃの上部周壁部分が収まるような適宜段部が設けられており、容器基体Ａと容器底体Ｃとの密閉性が高められるように形成してある。
【００１８】
前記容器蓋体Ｂは、例えば、適宜合成樹脂材によって、平面略楕円状を呈する滑らかな湾曲蓋状に形成されており、しかも、その上部には、手指が入るような比較的大きな凹部が形成され、この凹部を跨ぐように取手１が設けられている。尚、容器蓋体Ｂの下部周壁部分の内表面には、容器基体Ａの上部周壁部分が収まるような適宜段部が設けられており、容器蓋体Ｂと容器基体Ａとの密閉性が高められるように形成してある。更に、容器蓋体Ｂの下端周縁の一端がわ外表面には、係止突起７が一体的に突設されている。
【００１９】
前記容器底体Ｃは、例えば、適宜合成樹脂材によって、平面略楕円状を呈する上部が開放されている略浅底容器状に形成されている。更に、容器底体Ｃの上端周縁の一端がわ外表面には、係止突起７が一体的に突設されている。
【００２０】
そして、容器基体Ａと容器蓋体Ｂと容器底体Ｃの他端部分に設けられる枢支部は、例えば、容器基体Ａと容器蓋体Ｂと容器底体Ｃ夫々の他端部分に、枢支ピンが貫通可能なピン孔を備えた枢支突片を突設し、容器基体Ａと容器蓋体Ｂの枢支突片を枢支ピンで貫通することで、容器蓋体Ｂが容器基体Ａに対して上下方向に揺動自在となり、また、容器基体Ａと容器底体Ｃの枢支突片を枢支ピンで貫通することで、容器底体Ｃが容器基体Ａに対して上下方向に揺動自在となるように構成されたものである。
【００２１】
前記係止機構は、例えば、容器基体Ａの一端部分に形成される適宜取付基枠２と、この取付基枠２の左右側壁部の上下に設けた長孔３と、左右長孔３を貫通するように配される二つのピン６と、このピン６の両端部に固定されて上下方向に揺動自在となると共に、上下方向に僅かに摺動自在となる二つの適宜合成樹脂製の係止枠片５と、二つのピン６を介して二つの係止枠片５に引戻し弾発力を付勢するスプリング４と、容器蓋体Ｂと容器底体Ｃの一端部分に夫々突設される係止突起７とで構成されている。そして、係止枠片５の揺動操作によって、係止枠片５がスプリング４の弾発力に抗して係止突起７に係脱自在に係止するように構成してある。
【００２２】
前記取付基枠２は、例えば、適宜合成樹脂材によって、略矩形状の正面壁と、この正面壁の周縁に連設される幅狭な周壁とからなり、この周壁の左右部分が左右側壁となって、この左右側壁の上下部分に、上下方向に長い長孔３が夫々穿設されている。尚、取付基枠２自体は、ネジやリベット等の適宜止着手段や適宜接着手段等によって容器基体Ａに固定されている。
【００２３】
前記ピン６は、例えば、適宜金属材で略丸棒状に形成され、取付基枠２の左右側壁の長孔３を貫通するように配され、長孔３に対して回転自在で且つ摺動自在となるように形成されている。しかも、上下に配される一対のピン６には、取付基枠２に内装される略コイルスプリング状のスプリング４の両端部分が係止されており、一対のピン６が相互に接近するようにスプリング４の弾発力が付勢されている。
【００２４】
前記係止枠片５は、例えば、適宜合成樹脂材によって、略コ字状に形成されており、取付基枠２を跨ぐようにその両端部分がピン６の両端部分に固定されており、その中央の杆状部分が、係止突起７に係脱自在に係止されるように構成してある。
【００２５】
前記中敷紙１０は、例えば、少なくとも容器底体Ｃの底壁部分の上面と周壁部分の内表面と、容器基体Ａの周壁部分の内表面と、容器蓋体Ｂの下端周壁部分の内表面とを、安定的に覆えるようなものが好ましい。また、中敷紙１０は、犬の排泄物と中敷紙１０自体を水洗トイレ等に流せるようにすべく、水溶性材料で構成したものが好適となる。尚、中敷紙１０は紙以外の材料で構成されたものであっても良い。
【００２６】
ところで、犬用携帯排泄物収納容器の具体的構成、形状、寸法、材質、容器基体Ａの具体的構成、形状、寸法、材質、容器蓋体Ｂの具体的構成、形状、寸法、材質、容器底体Ｃの具体的構成、形状、寸法、材質、取手１の具体的構成、形状、寸法、材質、配設位置、取付基枠２の具体的構成、形状、寸法、材質、配設位置、長孔３の具体的構成、形状、寸法、配設位置、スプリング４の具体的構成、形状、寸法、材質、配設位置、数、係止枠片５の具体的構成、形状、寸法、材質、配設位置、ピン６の具体的構成、形状、寸法、材質、配設位置、係止突起７の具体的構成、形状、寸法、材質、配設位置、中敷紙１０の具体的構成、形状、寸法、材質等は、図示例のもの等に限定されることなく、適宜自由に設定、変更できるものである。
【００２７】
加えて、犬の排泄物を中敷紙１０と共に廃棄する場合、主に、容器底体Ｃを下方に揺動せしめて容器基体Ａの下部開口部分を開口状態として、犬の排泄物を中敷紙１０と共に落下状に廃棄するようになるが、場合によっては、容器蓋体Ｂを上方に揺動せしめて容器基体Ａの上部開口部分を開口状態として、犬の排泄物を中敷紙１０と共に廃棄するようにしても良い。
【図面の簡単な説明】
【００２８】
【図１】本考案を例示する斜視図である。
【図２】本考案を例示する縦断正面図である。
【図３】本考案を例示する縦断正面図である。
【図４】本考案を例示する一部切欠側面図である。
【符号の説明】
【００２９】
Ａ    容器基体
Ｂ    容器蓋体
Ｃ    容器底体
１    取手
２    取付基枠
３    長孔
４    スプリング
５    係止枠片
６    ピン
７    係止突起
１０  中敷紙
【図１】
0003107995.tif 000003
【図２】
0003107995.tif 000004
【図３】
0003107995.tif 000005
【図４】
0003107995.tif 000006